(57)【要約】【課題】  一種類で多種類の地下構造物用に対応することができる、汎用性の高い、舗装面の円形切断用支持具を提供する。【解決手段】  地下構造物用鉄蓋の周囲の舗装面を円形に切断する作業機械を取り付けるために、鉄蓋に取り付ける支持具について、平板状の支持基盤１１を具備し、地下構造物用鉄蓋の表面に磁気吸着可能な磁気手段１２を支持基盤１１の裏面に取り付け、支持基盤１１の適所に、作業機械２５の回転中心を提供する支持部１６を設ける。また平面ではない鉄蓋表面に磁気手段１２が面接触可能であるように、磁気手段を支持基盤１１に可動的に軸止めすることができる。【選択図】          図３
2006070687.tif 000002
【特許請求の範囲】
【請求項１】
地下構造物用鉄蓋の周囲の舗装面を円形に切断する作業機械を取り付けるために、鉄蓋に取り付ける支持具であって、平板状の支持基盤を具備し、地下構造物用鉄蓋の表面に磁気吸着可能な磁気手段を支持基盤の裏面に取り付け、支持基盤の適所に、作業機械の回転中心を提供する支持部を設けるようにした舗装面の円形切断用支持具。
【請求項２】
平面ではない鉄蓋表面に磁気手段が面接触可能であるように、磁気手段を支持基盤に可動的に軸止めして成る請求項１記載の舗装面の円形切断用支持具。
【請求項３】
磁気手段は、取り付けねじによって、支持基盤に緩みを持たせて可動的に軸止めされている請求項１又は２記載の舗装面の円形切断用支持具。
【請求項４】
磁気手段は、支持基盤との間に弾性変形可能な部材を設けて可動的に軸止めされている請求項１又は２記載の舗装面の円形切断用支持具。
【請求項５】
弾性変形可能な部材は、ゴム等の弾力性のある部材から成る請求項４記載の舗装面の円形切断用支持具。
【請求項６】
弾性変形可能な部材は、ばねワッシャーのように弾性を有する材料から成る請求項４記載の舗装面の円形切断用支持具。
【請求項７】
支持基盤は、適所に表裏貫通状の雌ねじ孔を有し、その雌ねじ孔に支軸を捩じ込むことにより支持部を植立して作業機械の回転中心を提供する態様１と、雌ねじ孔に捩じ込んだ支軸により磁気手段を鉄蓋表面から引き離すねじジャッキとして機能する態様２とを選択可能とした請求項１記載の舗装面の円形切断用支持具。
【発明の詳細な説明】
【技術分野】
【０００１】
本発明は地下構造物用鉄蓋の周囲の舗装面を円形に切断する作業機械を取り付けるために、鉄蓋に取り付ける支持具に関するものである。
【背景技術】
【０００２】
アスファルトやコンクリート等で舗装された路面を円形に切断ないし切削する装置として、丸穴カッターなどと称されるものがあり、地下構造物用鉄蓋の周囲の舗装を剥がすために、コンパス中心軸と同様の機能を果たすピンなどを舗装面に打ち込んで、丸穴カッターなどの作業機械を作動させる際の支えとしていた。この種の技術には特開２００２−３０６０８号、同２００１−２９５２１６号等の発明があるが、これらの発明には、舗装面が硬い場合ピンを打ち込めないので、作業が容易でないとか、鉄蓋にそのまま適用することができない、というような問題があった。
【０００３】
そこで本発明者、出願人は、鉄蓋上にピンを打ち込む代わりに、鉄蓋と同大の治具を製作して、これを鉄蓋を外した受枠に嵌め合わせ、その治具に丸穴カッターなどの作業機械を作動させるための支えを取り付けることができるようにした。この治具は芯だしが容易で、芯ずれを起こさないことを特徴とするものではあるが、カッター操作中に時として治具の浮動することがあり、芯ずれを起こす可能性のあることが分かった。芯ずれを防ぐには、治具の真円が保証されていることのほかに、カッター操作中には絶対に動かないことが必要である。
【０００４】
また、鉄蓋と交換して使用する類の治具では、鉄蓋毎に治具を製作する必要があり、汎用性に欠けるという問題もある。社団法人日本下水道協会の認定を受けている鉄蓋メーカーは、平成１４年の時点で５４社あり、各社異なる鉄蓋を製造しており、かつ新旧製品の混在していることを考慮すると膨大な数の治具を準備する必要がある。舗装面の剥離を必要とする状況は全くランダムに起こり、予測困難なことであるので、鉄蓋と交換する治具を使用する場合には多種類の治具を用意しておく必要が生じる。
【０００５】
【特許文献１】特開２００２−３０６０８号
【特許文献２】特開２００１−２９５２１６号
【発明の開示】
【発明が解決しようとする課題】
【０００６】
本発明は前記の点に着目してなされたものであって、その課題は、一種類で多種類の地下構造物用鉄蓋に対応することができる、汎用性の高い、舗装面の円形切断用支持具を提供することである。また本発明の他の課題は、芯ずれを起こさず、その反面、着脱の容易な、舗装面の円形切断用支持具を提供することである。
【課題を解決するための手段】
【０００７】
前記の課題を解決するため、本発明は、地下構造物用鉄蓋の周囲の舗装面を円形に切断する作業機械を取り付けるために、鉄蓋に取り付ける支持具について、平板状の支持基盤を具備し、地下構造物用鉄蓋の表面に磁気吸着可能な磁気手段を支持基盤の裏面に取り付け、支持基盤の適所に、作業機械の回転中心を提供する支持部を設けるようにするという手段を講じたものである。
【０００８】
本発明に係る道路等の舗装面の円形切断用支持具は、舗装面の切断、切削のための作業機械を支持し、円形運動を行えるように中心点を提供するもので、地下構造物用鉄蓋の周囲の舗装面の改修であるとか、鉄蓋の改修その他の工事に伴なって必要となる。作業機械としては、いわゆる丸穴カッターの類が対象となり、アスファルトやコンクリート等の舗装面を切断する回転刃を有し、本発明に係る支持具とをアーム状の部材により連絡する。
【０００９】
作業機械を取り付け、安定な回転運動を行わせるために、本発明では磁力を利用する。即ち、地下構造物用鉄蓋は、従来から鋳鉄により製造されたものであるので、鋳鉄の種類は多様であるけれども何れも磁気吸着可能であり、十分な固定力を得ることができる。また本発明は支持基盤を具備する。支持基盤は平板状かつ剛体性であることが望ましい。強力な磁石から成る磁気手段を支持基盤の裏面に設けるので、頑丈な支持基盤が必要であ
る。支持基盤に取り付ける磁気手段の個数は任意である。磁気手段としては、いわゆる永久磁石の類が主な対象となる。しかし、電磁石を排除しなければならない理由もない。
【００１０】
鉄蓋表面が平面である場合には磁気手段を面接触させることはまず容易であるが、車両通行により磨耗、変形等の経時劣化が発生して平面性の損われている場合には、磁気手段が鉄蓋表面に密着できず、磁気吸着力が有効に働かなくなり、支持基盤がずれる可能性がある。鉄蓋表面の非平面性は経時劣化が主原因となって生じるものであるが、その原因、理由の如何を問わず平面ではない鉄蓋表面に磁気手段が面接触可能であるように、磁気手段を支持基盤に可動的に軸止めすることができる。この場合、磁気手段を取り付けねじによって、支持基盤に緩みを持たせて可動的に軸止めする構成を取り得る。緩みにより支持基盤に対して磁気手段が可動となり、鉄蓋表面に面接触できるようになる。また磁気手段と支持基盤との間に弾性変形可能な部材を設けて、磁気手段を可動的に軸止めしても良
い。弾性変形可能な部材としては、ゴム等の弾力性のある材料を使用することができ、また、ばねワッシャーのように弾性を有する部材を使用することもできる。弾性変形可能な部材を使用することは、緩みを持たせて磁気手段を軸止めした場合に生じ勝ちながたつきを抑制する上でも有効である。
【００１１】
支持基盤の表面側には、作業機械との連結のための支持部を適当な箇所に設ける。支持部は、作業機械にその回転中心を提供するものであり、支軸又は支軸を取り付ける部分の何れかの形態を取る。この支軸は、回転中心軸というほどの意味であり、それ以上に特別のものである必要性はないが、次のような工夫を加えることが可能である。即ち、支持基盤の適所に、表裏貫通状の雌ねじ孔を設け、その雌ねじ孔に支軸を捩じ込むことにより支持部を植立して作業機械の回転中心を提供する態様１と、雌ねじ孔に捩じ込んだ支軸により磁気手段を鉄蓋表面から引き離すねじジャッキとして機能する態様２とを選択可能である。この工夫により１箇所の雌ねじ孔に捩じ込んだ支軸が、作業機械の回転運動のための支持部として使用されるとともに、強力な磁気手段を鉄蓋表面から引き離すためのねじジャッキとしても使用される。
【００１２】
磁気手段として永久磁石を使用した場合でも、磁気回路を切り換えて、磁気吸着作用をオンオフ制御することができる。このような磁気手段を使用した装置では、磁気吸着力に対抗して鉄蓋表面から磁気手段を引き離すために、ねじジャッキ類を使用しなければならない必要性は低い。しかし、支軸をねじジャッキとして使用する場合のように、磁気手段よりも下方まで突出可能な構成を具備することにより、例えば突出させた支軸を中心として本発明に係る支持具の向きを微動させる際の支えとするような用途もあり、ねじ式支軸の有用性は高い。
【発明の効果】
【００１３】
本発明は上記のように構成されかつ作用するものであるから、磁気手段を鉄蓋への固定に利用することによって、一種類で多種類の地下構造物用鉄蓋に対応し得る、汎用性の高い舗装面の円形切断用支持具を提供することができ、しかも本発明にかかる支持具は、芯ずれを起こさず、着脱は容易であり、さらに磁気手段を支持基盤に可動的に軸止めすることにより平面ではない鉄蓋表面についても磁気手段が面接触可能となり強力な時期吸着力を保持するという効果を奏する。
【発明を実施するための最良の形態】
【００１４】
以下図示の実施形態を参照して本発明をより詳細に説明する。図１ないし図６は本発明の実施例１に関するもので、正三角形の角を丸めた平面形状を有する支持基盤１１に、磁気手段１２を３個等間隔で配置し、本発明に係る円形切断用支持具１０を構成している。磁気手段１２は、支持基盤１１に設けた貫通孔１３の部分にて、取り付けねじ１４によってねじ止めされており、３個の磁気手段１２は全部、鉄蓋１５の表面に面接触可能であるように設けられている。
【００１５】
支持基盤１１はステンレススチール板を材料とする剛体性の平板構造を有しており、磁気手段１２には、強力な永久磁石を使用する。強力な磁石としては、例えばフェライト磁石、アルニコ磁石、ネオジム磁石等を使用することができ、実施例では吸着力３００Ｎの磁石を３個使用して十分な固定力を得ることができた。なおこの場合、鉄蓋の重さは約４５ｋｇ、作業機械である丸穴カッターの重さは約１４０ｋｇであった。
【００１６】
支持基盤１１の中心に支持部として、基盤表裏を貫通する透孔１６を設け、雌ねじ孔１７としてのナットを裏面側に設けている。その雌ねじ孔１７には支軸２０を捩じ込んで、作業機械との連結のための支持部を鉄蓋表面に植立する。支軸２０は図４に例示されているように、２個の直軸２１、２２を直交状に組み合わせたもので主直軸２１は下端にロックナット２３を有していて、それより先端部のみを雌ねじ孔１７に捩じ込ませることができるようになっている。直交軸２２は支持基盤１１の表面側から雌ねじ孔１７に捩じ込んで裏面側へ十分に突出し、先端は、磁気手段１２の吸着面１８を超えてはるかに突出可能な長さを有する（図６参照）。
【００１７】
このような構成を有する円形切断用支持具１０を用いて舗装面２４を円形に切断する作業機械２５を使用するには、図７に示すように、支持具１０を鉄蓋１５の表面に磁気手段１２により磁気吸着させて固定する。次いで、支軸２０を主直軸先端１９のみ雌ねじ孔１７に捩じ込み、支持部として植立し（図３、図４参照）、そこに作業機械２５の連絡部材２６を嵌め合わせる。図７の符号２８は円形の切断予定線を示す。これにより、作業機械２５はそれ自体に備わっている車輪２７により、支軸２０を中心として回転しながら地下構造物用鉄蓋の周囲の舗装面２４を切断する作業を行うことになる（図３参照）。
【００１８】
円形切断作業を終えた後、本発明に係る支持具１０を取り外すには、図５、図６に示したように、支軸２０の主直軸２１による捩じ込みを外して、直交軸２２を雌ねじ孔１７に捩じ込むようにする。直交軸２２を捩じ込んで行くにつれて、その先端が鉄蓋１５の表面を加圧し、ねじジャッキとして作用し、本発明に係る支持具１０を遂には鉄蓋表面から引き離すことができるようになる。このように、強力な磁気手段１２によって固定されている本発明に係る支持具１０であっても、支軸２０を使用したねじジャッキにより容易に鉄蓋表面から引き離すことができる。
【００１９】
図８は本発明の実施例２に係る支持具３０に関するもので、原型を鎖線Ｌで示したように、摩耗により平面でない状態となった鉄蓋表面３１にも面接触可能なように、磁気手段１２を支持基盤１１に緩みを持たせて、取り付けねじ３４により軸止めした例を示している。この実施例２は、実施例１のものよりも長い取り付けねじ３４を用いているので、締め込んでも支持基盤１１と磁気手段１２が密着せず、両者間又はボルト頭と支持基盤１１との間に隙き間３３を生じる。この実施例２では、磁気手段１２の構成要素であるカバーの上面３５を平面に形成しているが、カバーの上面３５を平面から例えば球面とすることもできる。
【００２０】
図９は本発明の実施例３に係る支持具３０′に関するもので、磁気手段１２を、支持基盤１１との間に弾性変形可能な部材３７を設けて可動的に軸止めした例である。軸止めに使用する取り付けねじ３４′は、実施例２の場合のように実施例１のものよりも長いねじであり、弾性変形可能な部材３７は支持基盤１１と磁気手段１２との間に生じる隙き間相当の厚味を有する。弾性変形可能な部材３７の厚味は、取り付けねじ３４′を締め込んだときに幾分かは圧縮されても良いが、圧縮され過ぎると磁気手段１２の可動性が損われるので圧縮され過ぎないようにする。なお、弾性変形可能な部材３７は実施例３ではゴム製リングを使用している。しかしこれをばねワッシャー又はコイルばねなどと置換することは容易である。
【００２１】
図１０ないし図１２は本発明の実施例４に係る支持具４０に関するもので、磁気回路を遮断して磁気吸着作用をオンオフすることができる機構を磁気手段４９として有する例である。図中、４８は切り換えスイッチを示している。この磁気手段４９は、実施例１と同様の取り付けねじ１４を用いてねじ止めされており、支持基盤１１なども共通で良いので符号を援用し、詳細な説明は省略する。実施例４の場合、支軸４１は作業機械２５の連絡部材２６を嵌め合わせられさえすれば良いので、実施例１のもののようにＴ字状である必要はない。例示の磁気手段４９は永久磁石に磁気回路を設けて磁気作用のオンオフを可能にしたものであるが、これが永久磁石でなく、電磁力であっても同様に構成することができ、かつ同様の効果を期待できることは容易に類推できることである。
【００２２】
実施例４の場合においても、本発明の支持具４０を鉄蓋１５の表面に置いて磁気吸着させ、中心を出すものであり、磁気吸着には、スイッチ４８を切り換えれば良い。スイッチ４８をオンに切り換え磁気吸着作用を得てから、支軸４１を雌ねじ孔１７に捩じ込み（支持部の植立）、作業機械２５の連絡部材２６を嵌め合わせられる状態となる。図１２に示したように磁気手段４９が高過ぎてそのままでは作業機械２５を傾斜させる恐れがあるような場合には、傾斜を生じない連絡部材２６′に交換してやれば良い。
【図面の簡単な説明】
【００２３】
【図１】本発明に係る舗装面の円形切断用支持具の実施例１を示す平面図。
【図２】図１のＩＩ−ＩＩ線断面図。
【図３】同上のものの使用状態を示す断面説明図。
【図４】支持部を植立した実施例１のものの拡大断面図。
【図５】ねじジャッキとしての作用説明図。
【図６】同じく拡大断面図。
【図７】本発明による切断円を示す平面図。
【図８】本発明の実施例２を示す側面図。
【図９】本発明の実施例３を示す断面図。
【図１０】本発明の実施例４を示す平面図。
【図１１】図１０の断面説明図。
【図１２】同じく使用状態を示す断面説明図。
【符号の説明】
【００２４】
１０、３０、３０′、４０  支持具
１１  支持基盤
１２、２９、４９  磁気手段
１３  貫通孔
１４、３４、３４′  取り付けねじ
１５  鉄蓋
１６  透孔
１７  雌ねじ孔
２０  支軸
２１  主直軸
２２  直交軸
２３  ロックナット
２４  舗装面
２５  作業機械
３１  鉄蓋表面
３３  隙間
３７  弾性変形可能な部材
【図１】
2006070687.tif 000003
【図２】
2006070687.tif 000004
【図３】
2006070687.tif 000005
【図４】
2006070687.tif 000006
【図５】
2006070687.tif 000007
【図６】
2006070687.tif 000008
【図７】
2006070687.tif 000009
【図８】
2006070687.tif 000010
【図９】
2006070687.tif 000011
【図１０】
2006070687.tif 000012
【図１１】
2006070687.tif 000013
【図１２】
2006070687.tif 000014